(57)【要約】【課題】固定部材に固定される第１コネクタと、第２コネクタとの嵌合時の荷重により、固定部材が破損することを抑制する。【解決手段】本明細書によって開示されるコネクタ組立体１０は、コネクタ側フード部２４を有し、プリント基板（固定部材）１２に固定される雄コネクタ（第１コネクタ）１４と、前記第１コネクタの前記コネクタ側フード部内に嵌合される第２コネクタと、前記固定部材が収容されるケースと、を備えるコネクタ組立体であって、前記コネクタ側フード部は、前記第２コネクタに設けられた第２対向面と嵌合方向に対向する第１対向面を有し、前記ケースは、前記第２コネクタに設けられた当接部に当接する嵌合停止部を有し、前記当接部と前記嵌合停止部が当接することで前記第１対向面と前記第２対向面が接触しない状態で前記第１コネクタと前記第２コネクタの嵌合動作が停止される。【選択図】図４
2020102407.tif 000002
【特許請求の範囲】
【請求項１】
コネクタ側フード部を有し、固定部材に固定される第１コネクタと、前記第１コネクタの前記コネクタ側フード部内に嵌合される第２コネクタと、前記固定部材が収容されるケースと、を備えるコネクタ組立体であって、
前記コネクタ側フード部は、前記第２コネクタに設けられた第２対向面と嵌合方向に対向する第１対向面を有し、
前記ケースは、前記第２コネクタに設けられた当接部に当接する嵌合停止部を有し、前記当接部と前記嵌合停止部が当接することで前記第１対向面と前記第２対向面が接触しない状態で前記第１コネクタと前記第２コネクタの嵌合動作が停止されるコネクタ組立体。
【請求項２】
前記ケースは、前記嵌合方向に開口するケース側フード部を備え、
前記第２コネクタは、前記第１コネクタ及び前記第２コネクタが嵌合される際に、前記嵌合方向について、前記ケース側フード部の開口縁と対向する対向壁部を備え、
前記当接部は、前記第２コネクタの前記対向壁部に設けられ、前記嵌合停止部は、前記ケース側フード部の開口縁に設けられている請求項１に記載のコネクタ組立体。
【請求項３】
前記対向壁部は、板状をなしており、前記第２コネクタの嵌合方向後側の端部に設けられている請求項２に記載のコネクタ組立体。
【発明の詳細な説明】
【技術分野】
【０００１】
本明細書によって開示される技術は、コネクタ組立体に関する。
【背景技術】
【０００２】
従来のコネクタ組立体の一例として、下記特許文献１に記載の基板用コネクタが知られている。この基板用コネクタは、基板の板面に対して嵌合面が略垂直な垂直型コネクタであって、幅方向に細長い角筒状のハウジング本体を備えている。ハウジング本体は、底壁部と、底壁部の外周縁から立ち上がる周壁部とから構成され、ハウジング本体内は、嵌合空間として上方に開放されている。ハウジング本体の嵌合空間には、上方から相手側ハウジングが嵌合される。
【先行技術文献】
【特許文献】
【０００３】
【特許文献１】特開２０１６−４６２０号公報
【発明の概要】
【発明が解決しようとする課題】
【０００４】
一般的に、基板用コネクタの嵌合面は、ハウジング本体の底壁部に設けられており、相手側ハウジングとハウジング本体との嵌合の際は、相手側ハウジングを嵌合空間内に挿通し、相手側ハウジングの嵌合面が、ハウジング本体の底壁部の嵌合面に当たるまで相手側ハウジングを押し込むことで、相手側ハウジングとハウジング本体とが嵌合される。このとき、底壁部が相手側ハウジングに押し込まれることにより、基板用コネクタを固定する固定部材（例えば、基板）に荷重がかかり、固定部材が破損する虞がある。
【課題を解決するための手段】
【０００５】
本明細書で開示されるコネクタ組立体は、コネクタ側フード部を有し、固定部材に固定される第１コネクタと、前記第１コネクタの前記コネクタ側フード部内に嵌合される第２コネクタと、前記固定部材が収容されるケースと、を備えるコネクタ組立体であって、前記コネクタ側フード部は、前記第２コネクタに設けられた第２対向面と嵌合方向に対向する第１対向面を有し、前記ケースは、前記第２コネクタに設けられた当接部に当接する嵌合停止部を有し、前記当接部と前記嵌合停止部が当接することで前記第１対向面と前記第２対向面が接触しない状態で前記第１コネクタと前記第２コネクタの嵌合動作が停止される。
【０００６】
第２コネクタの当接部とケースの嵌合停止部とが当接することで第１コネクタと第２コネクタの嵌合動作が停止するものの、第１対向面と第２対向面が接触しないから、第１コネクタ及び第２コネクタの嵌合時の荷重は、ケースにかかることとなる。これにより、嵌合時における固定部材にかかる荷重が抑えられ、嵌合時の荷重により固定部材が破損することを抑制することができる。
【０００７】
また、前記ケースは、前記嵌合方向に開口するケース側フード部を備え、前記第２コネクタは、前記第１コネクタ及び前記第２コネクタが嵌合される際に、前記嵌合方向について、前記ケース側フード部の開口縁と対向する対向壁部を備え、前記当接部は、前記第２コネクタの前記対向壁部に設けられ、前記嵌合停止部は、前記ケース側フード部の開口縁に設けられている構成としても良い。
【０００８】
ケースにケース側フード部を設け、第２コネクタにケース側フード部の開口縁と対向する対向壁部を設けることで、当接部を対向壁部に設定し、嵌合停止部をケース側フード部に設定することができる。
【０００９】
また、前記対向壁部は、板状をなしており、前記第２コネクタの嵌合方向後側の端部に設けられている構成としても良い。
【００１０】
対向壁部を、第２コネクタの嵌合方向後側の端部に設けることで、対向壁部を指で押し易くなり、第１コネクタ及び第２コネクタを嵌合する際の作業性を向上させることができる。
【発明の効果】
【００１１】
本明細書に開示されるコネクタ組立体によれば、固定部材に固定される第１コネクタと、第２コネクタとの嵌合時の荷重により、固定部材が破損することを抑制することができる。
【図面の簡単な説明】
【００１２】
【図１】実施形態におけるコネクタ組立体の側面図
【図２】コネクタ組立体の平面図
【図３】図２におけるＡ−Ａ断面図
【図４】図２におけるＢ−Ｂ断面図
【図５】嵌合途中の状態における、図４と対応する断面図
【図６】嵌合前の状態における、図４と対応する断面図
【発明を実施するための形態】
【００１３】
＜実施形態＞
図１から図６を参照して本実施形態のコネクタ組立体１０を説明する。
【００１４】
本実施形態のコネクタ組立体１０は、図３、図４に示すように、プリント基板（固定部材）１２に半田固定される雄コネクタ（第１コネクタ）１４と、雄コネクタ１４に嵌合される雌コネクタ（第２コネクタ）１６と、プリント基板１２及び雄コネクタ１４が収容されるケース３２と、を備えて構成されている。以降の説明では、上下方向（雄コネクタ１４及び雌コネクタ１６の嵌合方向）の上方は図１の紙面下側から上側に向かう方向を基準とし、前後方向の前方は図２の紙面下側から上側に向かう方向を基準とし、左右方向の右方は図２の紙面左側から右側に向かう方向を基準として説明する。
【００１５】
雄コネクタ１４は、プリント基板１２の表面に対して垂直に取付けられるＳＭＴ（Ｓｕｒｆａｃｅ  Ｍｏｕｎｔ  Ｔｅｃｈｎｏｌｏｇｙ）コネクタであって、図４から図６に示すように、合成樹脂により構成された雄ハウジング１８と、導電性金属により構成された複数の雄端子２０と、を備えている。
【００１６】
図３に示すように、雄ハウジング１８は、板状の底壁部２２と、底壁部２２の周縁部から上方にフード状に開口するコネクタ側フード部２４と、を備えている。図４に示すように、底壁部２２には、複数の雄端子２０が個別に挿通される複数の挿通孔２６が開口して設けられている。コネクタ側フード部２４の上端には、内方に向けて突出する雄側ロック部４２が設けられている。
【００１７】
雄端子２０は、上下方向に長い棒状をなし、底壁部２２の挿通孔２６に下方から挿通される雄端子本体部２８と、雄端子本体部２８の下端部と連なり、プリント基板１２のランドに半田接続される基板接続部３０と、を備えて構成されている。
【００１８】
ケース３２は、方形箱状をなしており、図３に示すように、ケース３２の上面には、上方にフード状に開口するケース側フード部３４が設けられている。ケース側フード部３４の内部は、図５に示すように、ケース３２の内部と連通しており、ケース側フード部３４の下方には、雄コネクタ１４のコネクタ側フード部２４が位置している。プリント基板１２は、ボルト３６によってケース３２内に固定されている。雌コネクタ１６は、ケース側フード部３４の開口からケース３２内に収容され、雄コネクタ１４のコネクタ側フード部２４内に嵌合される。
【００１９】
図４に示すように、雌コネクタ１６は、合成樹脂により構成されており、上下方向に長い方形状をなす雌ハウジング３８と、導電性金属により構成され、複数の雄端子２０とそれぞれ嵌合される複数の雌端子４０と、を備えている。雌ハウジング３８の内部には、雌端子４０が個別に収容される複数のキャビティ４４が上下方向（即ち、嵌合方向）に貫通して設けられている。キャビティ４４は、ハウジング３８の後端部４６において上方に開口している。
【００２０】
雌ハウジング３８の後端部４６には、図３に示すように、板状をなす対向壁部４８が設けられている。対向壁部４８は嵌合方向と直交する方向に張り出すとともに、図４から図６に示すように、雄コネクタ１４と雌コネクタ１６との嵌合の際に、ケース側フード部３４の開口縁５０と、上下方向に対向するように設けられている。対向壁部４８を、雌コネクタ１６の後端部４６に設けることで、対向壁部４８を指で押し易くなり、雌コネクタ１６を雄コネクタ１４に嵌合する際の作業性を向上させることができる。
【００２１】
図３に示すように、雌ハウジング３８の対向壁部４８の下面には当接部５２が設けられ、ケース側フード部３４の開口縁５０には嵌合停止部５４が設けられている。当接部５２と嵌合停止部５４は、雄コネクタ１４と雌コネクタ１６とが嵌合された状態において、互いに当接するものとされている。
【００２２】
図４に示すように、雌ハウジング３８の外周面には、外方に向けて突出する雌側ロック部５６が設けられており、雄コネクタ１４と雌コネクタ１６とが嵌合されると、雌側ロック部５６は、雄側ロック部４２の下方に当接可能に位置することとなる。雌側ロック部５６が雄側ロック部４２に下方から当接することで、雌コネクタ１６が雄コネクタ１４から抜けることが抑制される。
【００２３】
図４から図６に示すように、雄ハウジング１８の底壁部２２には第１対向面５８が設けられ、雌ハウジング３８には第２対向面６０が設けられている。第１対向面５８と第２対向面６０は上下方向に互いに対向する配置とされている。図４に示すように、雄コネクタ１４と雌コネクタ１６とが嵌合された状態において、第１対向面５８及び第２対向面６０とは非接触状態とされており、第１対向面５８及び第２対向面６０との間には、隙間Ｇが確保されている。
【００２４】
次に、本実施形態の作用について説明する。
図５に示すように、雌コネクタ１６をケース側フード部３４内に収容していくと、図６に示すように、雌コネクタ１６はケース側フード部３４の下方に位置する雄コネクタ１４のコネクタ側フード部２４内に進入する。図６に示す状態において、雌コネクタ１６をコネクタ側フード部２４内に嵌合させていくと、雌コネクタ１６の対向壁部４８に設けられた当接部５２が、ケース側フード部３４の開口縁５０に設けられた嵌合停止部５４に上方から当接し、図４に示す嵌合停止状態に至る。これにより、雄コネクタ１４と雌コネクタ１６との嵌合動作が停止する。このとき、雄コネクタ１４の第１対向面５８と、雌コネクタ１６の第２対向面６０とが接触しない状態で嵌合動作が停止することから、これにより、雄コネクタ１４及び雌コネクタ１６の嵌合時の荷重は、ケース３２にかかることとなる。従って、嵌合時におけるプリント基板１２にかかる荷重が抑えられ、嵌合時の荷重によりプリント基板１２が破損することを抑制することができる。
【００２５】
以上のように本実施形態によれば、雌コネクタ（第２コネクタ）１６の当接部５２とケース３２の嵌合停止部５４とが当接することで雄コネクタ（第１コネクタ）１４と雌コネクタ（第２コネクタ）１６の嵌合動作が停止するものの、第１対向面５８と第２対向面６０が接触しないから、雄コネクタ（第１コネクタ）１４及び雌コネクタ（第２コネクタ）１６の嵌合時の荷重は、ケース３２にかかることとなる。これにより、嵌合時におけるプリント基板（固定部材）１２にかかる荷重が抑えられ、嵌合時の荷重によりプリント基板（固定部材）１２が破損することを抑制することができる。
【００２６】
また、ケース３２にケース側フード部３４を設け、雌コネクタ（第２コネクタ）１６にケース側フード部３４の開口縁５０と対向する対向壁部４８を設けることで、当接部５２を対向壁部４８に設定し、嵌合停止部５４をケース側フード部３４に設定することができる。
【００２７】
また、対向壁部４８を、雌コネクタ（第２コネクタ）１６の後端部（嵌合方向後側の端部）４６に設けることで、対向壁部４８を指で押し易くなり、雄コネクタ（第１コネクタ）１４及び雌コネクタ（第２コネクタ）１６を嵌合する際の作業性を向上させることができる。
【００２８】
＜他の実施形態＞
本明細書によって開示される技術は上記記述及び図面によって説明した実施形態に限定されるものではなく、例えば次のような種々の態様も含まれる。
（１）上記実施形態では、第１コネクタは雄コネクタ１４であり、第２コネクタは雌コネクタ１６である構成としたが、第１コネクタは雌コネクタであり、第２コネクタは雄コネクタである構成としても良い。
（２）上記実施形態では、雄コネクタ１４が固定される固定部材は、プリント基板１２である構成としたが、プリント基板に限られることはなく、例えば、固定部材は、樹脂性のクランプ等、コネクタが固定可能なものであれば良い。
（３）上記実施形態では、ケース３２のケース側フード部３４の開口縁５０に嵌合停止部５４を設ける構成としたが、例えば、嵌合停止部は、ケース側フード部とは別に、ケースの上面から上方に突出して設ける構成としても良い。
【符号の説明】
【００２９】
１０：コネクタ組立体
１２：基板（固定部材）
１４：雄コネクタ（第１コネクタ）
１６：雌コネクタ（第２コネクタ）
２４：コネクタ側フード部
３２：ケース
３４：ケース側フード部
４６：後端部（嵌合方向後側の端部）
４８：対向壁部
５０：開口縁
５２：当接部
５４：嵌合停止部
５８：第１対向面
６０：第２対向面
【図１】
2020102407.tif 000003
【図２】
2020102407.tif 000004
【図３】
2020102407.tif 000005
【図４】
2020102407.tif 000006
【図５】
2020102407.tif 000007
【図６】
2020102407.tif 000008